(57)【特許請求の範囲】
【請求項１】
ＰｏＣ(PTT over  Cellular)セッションにおける発言権管理規則(ＭＢＣＳ)の伝達と適用のためのユーザー端末機であって、
ＰｏＣセッションに適用可能な複数のＭＢＣＳを格納するＸＭＬ文書管理クライアント(ＸＤＭＣ)と、
ユーザー指定に対応してＰｏＣセッションに使用される少なくとも一つのＭＢＣＳを決定し、前記決定されたＭＢＣＳを含むセッション参加要請メッセージをＰｏＣサーバに伝送するＰｏＣクライアントと、を含み、
前記ＸＤＭＣとＰｏＣクライアントは前記ユーザー端末機に含まれることを特徴とするユーザー端末機。
【請求項２】
前記ＰｏＣクライアントは、内部インターフェースを介して前記決定されたＭＢＣＳを前記ＸＤＭＣに質疑することを特徴とする請求項１に記載のユーザー端末機。
【請求項３】
前記ＸＤＭＣは、前記決定されたＭＢＣＳに対応するＭＢＣＳ ＩＤを前記ＰｏＣクライアントに提供することを特徴とする請求項２に記載のユーザー端末機。
【請求項４】
前記ＰｏＣクライアントは、前記ＸＤＭＣから受信される前記ＭＢＣＳ ＩＤを格納し、前記ＭＢＣＳ ＩＤに対応する前記決定されたＭＢＣＳを設定することを特徴とする請求項３に記載のユーザー端末機。
【請求項５】
前記ユーザー端末機に格納されている前記複数のＭＢＣＳは、ＨＴＴＰ  ＰＵＴメッセージを用いてＸＭＬ文書管理と共有されることを特徴とする請求項１に記載のユーザー端末機。
【請求項６】
前記ユーザー端末機は、前記ＸＤＭＣの機能を用いて新たなＭＢＣＳをＸＭＬ文書の形式で作成することを特徴とする請求項１に記載のユーザー端末機。
【請求項７】
前記作成されたＭＢＣＳは、アドホックグループ又は一対一セッションのような臨時的セッションに適用させるＭＢＣＳと、前記作成された文書がＭＢＣＳであることを知らせるアプリケーションＩＤとを含むことを特徴とする請求項６に記載のユーザー端末機。
【請求項８】
前記ユーザー端末機は、前記決定されたＭＢＣＳに対する受信側ＰｏＣクライアントの受諾を示すメッセージに対応する応答メッセージを前記ＰｏＣサーバから受信することを特徴とする請求項１に記載のユーザー端末機。
【請求項９】
前記受信側ＰｏＣクライアントは、セッション開始要請ＰｏＣユーザー端末機によって提案された特定のＭＢＣＳを示すパラメータを含むセッション参加要請メッセージを前記ＰｏＣサーバから受信し、前記特定のＭＢＣＳに対して受諾するか否かを判断し、前記特定ＭＢＣＳの受諾又は拒絶に従う応答メッセージを前記ＰｏＣサーバに伝送することを特徴とする請求項８に記載のユーザー端末機。
【請求項１０】
ＰｏＣ(PTT  over  Cellular)セッションにおける発言権管理規則(ＭＢＣＳ)の伝達と適用のためのＰｏＣサーバであって、
参加ＰｏＣ機能(ＰＦ)部と、
送信側ＰｏＣクライアントと受信側ＰｏＣクライアントとの間でＰｏＣセッションが設定される場合に、前記ＰｏＣセッションに使用される少なくとも一つのＭＢＣＳを含むセッション参加要請メッセージを、前記送信側ＰｏＣクライアントから受信し、前記少なくとも一つのＭＢＣＳに対応するＸＭＬ文書管理(ＸＤＭ)サーバに格納されている具体的なＭＢＣＳを検索し、前記ＸＤＭサーバが前記少なくとも一つのＭＢＣＳに対応する情報を格納していると、前記検索されたＭＢＣＳを前記ＰｏＣセッションに適用する制御ＰｏＣ機能(ＣＦ)部と、
を含むことを特徴とするＰｏＣサーバ。
【請求項１１】
前記ＣＦ部は、前記検索されたＭＢＣＳが含まれるセッション参加要請メッセージを受信側ＰｏＣクライアントに伝送することを特徴とする請求項１０に記載のＰｏＣサーバ。
【請求項１２】
前記セッション参加要請メッセージは前記少なくとも一つのＭＢＣＳに対応するＭＢＣＳ ＩＤを含み、
前記ＣＦ部は、前記ＭＢＣＳ ＩＤに対応する具体的なＭＢＣＳを前記ＸＤＭサーバに質疑し、前記ＸＤＭサーバから前記具体的なＭＢＣＳを受信し、前記具体的なＭＢＣＳを格納することを特徴とする請求項１０に記載のＰｏＣサーバ。
【請求項１３】
前記ＣＦ部は前記具体的なＭＢＣＳを前記ＰｏＣセッションに適用し、前記ＰｏＣセッションに適用したＭＢＣＳを含むセッション参加要請メッセージを前記受信側ＰｏＣクライアントに伝送することを特徴とする請求項１２に記載のＰｏＣサーバ。
【請求項１４】
前記ＣＦ部は、前記ＸＤＭサーバから検索された前記具体的なＭＢＣＳを含むセッション参加要請メッセージを受信側ＰｏＣクライアントに伝送し、前記具体的なＭＢＣＳに対する受諾又は拒絶に従う応答メッセージを前記受信側ＰｏＣクライアントから受信して確認し、前記応答メッセージが前記具体的なＭＢＣＳの受諾を含む場合には、前記具体的なＭＢＣＳを前記ＰｏＣセッションに適用することを特徴とする請求項１２に記載のＰｏＣサーバ。
【請求項１５】
前記ＣＦ部は、前記応答メッセージが前記具体的なＭＢＣＳの拒絶を含む場合に、一般的な発言権管理規則を前記ＰｏＣセッションに適用することを特徴とする請求項１４に記載のＰｏＣサーバ。
【請求項１６】
前記ＸＤＭサーバは前記ＰｏＣサーバに含まれることを特徴とする請求項１０に記載のＰｏＣサーバ。
【請求項１７】
ユーザー端末機のＰｏＣ(PTT  over  Cellular)セッションにおける発言権管理規則(ＭＢＣＳ)の伝達と適用の方法であって、
ＸＭＬ文書管理クライアント(ＸＤＭＣ)に格納されたＰｏＣセッションに適用可能な複数のＭＢＣＳの中で、ＰｏＣセッションに使用される少なくとも一つのＭＢＣＳがユーザー指定に対応してＰｏＣクライアントによって決定されるステップと、
前記ＰｏＣクライアントによって決定されたＭＢＣＳに対応するＭＢＣＳ  ＩＤ（Identity）を含むセッション参加要請メッセージをＰｏＣサーバに伝送するステップと、を具備し、
前記ＸＤＭＣとＰｏＣクライアントは前記ユーザー端末機に含まれることを特徴とする方法。
【請求項１８】
前記ＰｏＣクライアントが内部インターフェースを介して前記決定されたＭＢＣＳを前記ＸＤＭＣに質疑するステップをさらに具備することを特徴とする請求項１７に記載の方法。
【請求項１９】
前記ＸＤＭＣが前記決定されたＭＢＣＳに対応する前記ＭＢＣＳ ＩＤを前記ＰｏＣクライアントに提供するステップをさらに具備することを特徴とする請求項１８に記載の方法。
【請求項２０】
前記ＰｏＣクライアントが前記ＸＤＭＣから受信される前記ＭＢＣＳ ＩＤを格納するステップと、
前記ＭＢＣＳ ＩＤに対応する前記決定されたＭＢＣＳを設定するステップと、
をさらに具備することを特徴とする請求項１９に記載の方法。
【請求項２１】
前記ユーザー端末機に格納された前記複数のＭＢＣＳはＨＴＴＰ  ＰＵＴメッセージを用いてＸＭＬ文書管理と共有されることを特徴とする請求項１７に記載の方法。
【請求項２２】
前記ＸＤＭＣの機能を用いて新たなＭＢＣＳをＸＭＬ文書の形式で作成するステップをさらに具備することを特徴とする請求項１７に記載の方法。
【請求項２３】
前記作成されたＭＢＣＳは、アドホックグループ又は一対一セッションのような臨時的セッションに適用させるＭＢＣＳと、前記作成された文書がＭＢＣＳであることを知らせるアプリケーションＩＤとを含むことを特徴とする請求項２２に記載の方法。
【請求項２４】
前記決定されたＭＢＣＳに対する受信側ＰｏＣクライアントの受諾を示すメッセージに対応する応答メッセージを前記ＰｏＣサーバから受信するステップをさらに具備することを特徴とする請求項１７に記載の方法。
【請求項２５】
前記受信側ＰｏＣクライアントは、セッション開始要請ＰｏＣユーザー端末機によって提案された特定のＭＢＣＳを示すパラメータを含むセッション参加要請メッセージを前記ＰｏＣサーバから受信し、前記特定のＭＢＣＳに対して受諾するか否かを判断し、前記特定ＭＢＣＳの受諾又は拒絶に従う応答メッセージを前記ＰｏＣサーバに伝送することを特徴とする請求項２４に記載の方法。
【請求項２６】
ＰｏＣ(PTT  over  Cellular)サーバのＰｏＣセッションにおける発言権管理規則(ＭＢＣＳ)の伝達と適用の方法であって、
送信側ＰｏＣクライアントと受信側ＰｏＣクライアントとの間でＰｏＣセッションが設定される場合、前記ＰｏＣセッションに使用される少なくとも一つのＭＢＣＳに対応するＭＢＣＳ  ＩＤ（Identity）を含むセッション参加要請メッセージを前記送信側ＰｏＣクライアントから受信するステップと、
前記ＭＢＣＳ  ＩＤに対応するＸＭＬ文書管理(ＸＤＭ)サーバに格納された具体的なＭＢＣＳを検索するステップと、
前記ＸＤＭサーバが前記ＭＢＣＳ  ＩＤに対応する情報を格納していると、前記検索されたＭＢＣＳを前記ＰｏＣセッションに適用するステップと、
を具備することを特徴とする方法。
【請求項２７】
前記検索されたＭＢＣＳを含むセッション参加メッセージを受信側ＰｏＣクライアントに伝送するステップをさらに具備することを特徴とする請求項２６に記載の方法。
【請求項２８】
前記ＭＢＣＳ ＩＤに対応する具体的なＭＢＣＳを前記ＸＤＭサーバに質疑するステップと、
前記ＸＤＭサーバから前記具体的なＭＢＣＳを受信するステップと、
前記具体的なＭＢＣＳを格納するステップと、をさらに具備することを特徴とする請求項２６に記載の方法。
【請求項２９】
前記具体的なＭＢＣＳを前記ＰｏＣセッションに適用するステップと、
前記ＰｏＣセッションに適用されたＭＢＣＳを含むセッション参加要請メッセージを前記受信側ＰｏＣクライアントに伝送するステップと、
をさらに具備することを特徴とする請求項２８に記載の方法。
【請求項３０】
前記ＸＤＭサーバから検索された前記具体的なＭＢＣＳを含むセッション参加要請メッセージを受信側ＰｏＣクライアントに伝送するステップと、
前記具体的なＭＢＣＳに対する受諾又は拒絶に従う応答メッセージを前記受信側ＰｏＣクライアントから受信するステップと、
前記応答メッセージを確認するステップと、
前記応答メッセージが前記具体的なＭＢＣＳの受諾を含むと、前記具体的なＭＢＣＳを前記ＰｏＣセッションに適用するステップと、
をさらに具備することを特徴とする請求項２８に記載の方法。
【請求項３１】
前記応答メッセージが前記具体的なＭＢＣＳの拒絶を含むと、一般的な発言権管理規則を前記ＰｏＣセッションに適用するステップをさらに具備することを特徴とする請求項３０に記載の方法。
【発明の詳細な説明】
【技術分野】
【０００１】
本発明は、多様な種類の発言権管理規則(Media Burst Control Scheme)をサポートするＰｏＣクライアント間のＰｏＣセッションの確立の際の、発言権管理規則の伝達と適用方法、及びこれを実現するための端末機とネットワークシステムの機能に関する。
【背景技術】
【０００２】
移動通信技術の画期的な発展及び通信網の拡大に伴って、携帯電話を用いたより拡張された様々なサービス及びアプリケーションが提供されている。また、ユーザの要求も多様化しており、基本的な通話サービスを越えて、位置サービス、マルチメディアサービス、ＰＴＴ（Push To Talk）サービスなどに拡大している。特に、ＰＴＴサービスは、従来の無線電信又は基盤無線システム（Trunked Radio System：ＴＲＳ）により提供されたグループ通話及び音声通話だけではなく、インスタントメッセンジャー及び状態表示のような様々な付加機能をサポートする。
【０００３】
現在では、このようなＰＴＴ概念を移動通信網を用いてサービスするＰｏＣ（ＰＴＴ ｏｖｅｒ Ｃｅｌｌｕｌａｒ；以下、ＰｏＣと称する。）サービスを標準化することが活発に論議されている。従来の移動通信サービスと区別されるＰｏＣサービスの特徴の１つは、ユーザが複数のセッションに属していることにより、必要に応じて複数のセッション間を移動しながら通話することができることである。ユーザが複数のセッションを移動しながら通話可能でなければならないという要求事項、即ち多重セッション機能に関する要求事項は、関連移動通信サービスを定義している団体であるオープンモバイルアライアンス（Open Mobile Alliance：ＯＭＡ）の要求事項に明示されている。
【０００４】
一方、ＰｏＣＶ２．０システムは、ＰｏＣマルチメディア通話サービスをサポートする。そのため、ＰｏＣＶ２．０システムは、音声以外にビデオ、イメージ、テキストなどを新しいマルチメディアタイプで定義する。さらに、現在のＰｏＣシステムは、端末機の性能向上によりビデオまたはイメージのような多重ストリームをディスプレーすることができる。
【０００５】
また、より拡張したＰｏＣサービスをサポートするために、ＰｏＣＶ２．０システムは多様な発言権管理規則(Media Burst Control Scheme)を定義し、これに従ってＰｏＣサーバとＰｏＣクライアントは、複数の発言権管理規則のうちの一つによりＰｏＣセッションを確立し、発言権を管理することができる。
【０００６】
しかし、従来のＰｏＣ技術は、複数の発言権管理規則が事前指定グループ(Pre-arranged group)のようにＰｏＣグループの定義文書に含まれた場合だけを考慮しているため、一対一セッションやアドホックグループセッションのように、任意に生成されるＰｏＣセッションに対しては特定の発言権管理規則を適用する方案を提供できない問題点がある。また従来技術は、事前指定グループの場合にも、グループ定義文書によって決定された発言権管理規則を該当クライアントに具体的に伝達する方案を提示していない。
【先行技術文献】
【特許文献】
【０００７】
【特許文献１】米国特許出願公開第２００５−０１２４３６５号公報
【特許文献２】米国特許出願公開第２００６−０１２６６３５号公報
【発明の概要】
【発明が解決しようとする課題】
【０００８】
したがって、本発明は、上述した従来技術の問題点を解決するために提案されたものであり、その目的は、ＰｏＣセッションの確立の際に、発言権管理規則の伝達あるいは交渉(negotiation)を介して、ＰｏＣクライアントがサポートする多様な種類の発言権管理規則のうち、ＰｏＣセッション開始者が所望する特定発言権管理規則をＰｏＣサーバに提供してセッションに適用するための方法及びこれを実現するためのシステムを提供することである。
【０００９】
本発明の他の目的は、ＰｏＣセッションに参加する受信側ＰｏＣクライアントに発言権管理を実際に適用する前にセッションで使用される発言権管理規則を伝達するための方法及びこれを実現するためのシステムを提供することにある。
【００１０】
また本発明の他の目的は、ＰｏＣセッション交渉を介した発言権管理規則の伝達及び適用方案において、選択的にＸＤＭシステムと連動する方案と発言権管理規則を直接伝達するための方法及びこれを実現するためのシステムを提供することにある。
【００１１】
本発明のさらなる目的は、ＰｏＣセッション交渉を介した発言権管理規則の伝達及び適用方案において、ＸＤＭシステムと連動する方案の場合、ＰｏＣセッションを確立しようとするＰｏＣクライアントがＰｏＣ ＸＤＭＣ(ＸＤＭＣ:XML Document Management Client)との連動を通じて、該当ＰｏＣセッションに適用しようとする発言権管理規則(Media Burst Control Scheme)と対応するＩＤ(Identity)を獲得し、該当ＩＤを含むセッション参加要請メッセージをＰｏＣサーバに伝送する方法及びこれを実現するためのシステムを提供することにある。
【００１２】
本発明のさらなる他の目的は、ＰｏＣサーバが受信したセッション参加要請メッセージに含まれた発言権管理規則ＩＤをＰｏＣ ＸＤＭＳに質疑することによって、上記ＩＤに対応する発言権管理規則を該当セッションに適用し、該当発言権管理規則を含む上記セッション参加要請メッセージを受信側ＰｏＣクライアントに伝達する方法及びこれを実現するためのシステムを提供することにある。
【００１３】
本発明のさらなる他の目的は、ＰｏＣセッション交渉を介した発言権管理規則の伝達及び適用方案において、発言権管理規則を直接伝達する方案の場合、ＰｏＣクライアントはＰｏＣセッション開始者が所望する特定発言権管理規則を含むセッション参加要請メッセージをＰｏＣサーバに伝達し、ＰｏＣサーバが発言権管理規則を含むセッション参加要請メッセージを受信側ＰｏＣサーバに伝送する方法及びこれを実現するためのシステムを提供することにある。
【００１４】
本発明のさらなる他の目的は、発言権管理規則の各クライアントへの伝達方案において、グループ情報に規則が含まれた場合にも同一に適用するために、事前指定グループの文書で定義された発言権管理規則がＰｏＣサーバで決定されたとき、定義された発言権管理規則を受信側クライアントに通知するための方法及びこれを実現するためのシステムを提供することにある。
【課題を解決するための手段】
【００１５】
上記のような目的を達成するために、本発明は、ＰｏＣ(ＰＴＴ ｏｖｅｒ Ｃｅｌｌｕｌａｒ)セッションにおける発言権管理規則の伝達と適用のためのシステムであって、ＰｏＣセッションの確立の際に、上記ＰｏＣセッションで使用しようとする発言権管理規則を含むセッション参加要請メッセージを送信するセッション開始要請ＰｏＣクライアントと、上記セッション参加要請メッセージを受信すると、上記セッション参加要請メッセージに含まれた上記発言権管理規則を上記ＰｏＣセッションに適用し、該当発言権管理規則を含む上記セッション参加要請メッセージを受信側ＰｏＣクライアントに伝達するＰｏＣサーバと、上記ＰｏＣサーバからセッション参加要請メッセージを受信すると、上記セッション参加要請メッセージに含まれた発言権管理規則に対して受諾するか否かを判断し、上記発言権管理規則の受諾又は拒絶に従う応答メッセージを上記ＰｏＣサーバに伝送する受信側ＰｏＣクライアントと、を含むことを特徴とする。
【００１６】
また、本発明は、ＰｏＣ(ＰＴＴ ｏｖｅｒ Ｃｅｌｌｕｌａｒ)セッションにおける発言権管理規則の伝達と適用のためのシステムであって、ＰｏＣセッションの確立の際に、上記ＰｏＣセッションで使用しようとする発言権管理規則に対応して事前設定された発言権管理規則ＩＤを確認し、上記確認された発言権管理規則ＩＤを含むセッション参加要請メッセージを送信するセッション開始要請ＰｏＣ端末機と、上記セッション参加要請メッセージを受信すると、上記参加要請メッセージに含まれた上記発言権管理規則ＩＤに対応する発言権管理規則を確認して上記確立しようとするＰｏＣセッションに適用し、該当発言権管理規則を含む上記セッション参加要請メッセージを受信側ＰｏＣクライアントに伝達するＰｏＣサーバと、上記ＰｏＣサーバからセッション参加要請メッセージを受信すると、上記セッション参加要請メッセージに含まれた発言権管理規則に対して受諾するか否か判断し、上記発言権管理規則の受諾又は拒絶に従う応答メッセージを上記ＰｏＣサーバに伝送する受信側ＰｏＣクライアントと、を含むことを特徴とする。
【００１７】
さらに、本発明は、ＰｏＣ(ＰＴＴ ｏｖｅｒ Ｃｅｌｌｕｌａｒ)セッションにおける発言権管理規則の伝達と適用のためのシステムであって、ＰｏＣセッションの確立の際に、上記ＰｏＣセッションで使用しようとする発言権管理規則に対して事前設定されたＩＤを確認し、上記確認された発言権管理規則ＩＤを含むセッション参加要請メッセージを送信するセッション開始要請ＰｏＣ端末機と、上記セッション参加要請メッセージを受信すると、上記参加要請メッセージに含まれた上記発言権管理規則ＩＤに対応する発言権管理規則を確認した後、上記発言権管理規則ＩＤと上記確認した発言権管理規則を格納し、上記セッション参加要請メッセージに上記確認した発言権管理規則を提案することを示すパラメータを挿入し、上記セッション参加要請メッセージを受信側ＰｏＣクライアントに伝達するＰｏＣサーバと、上記ＰｏＣサーバからセッション参加要請メッセージを受信すると、上記セッション参加要請メッセージに含まれた発言権管理規則提案に対して受諾するか否かを判断し、上記発言権管理規則の受諾又は拒絶に従う応答メッセージを上記ＰｏＣサーバに伝送する受信側ＰｏＣクライアントと、を含むことを特徴とする。
【００１８】
さらに、本発明は、ＰｏＣ(ＰＴＴ ｏｖｅｒ Ｃｅｌｌｕｌａｒ)セッションにおける発言権管理規則の伝達と適用のための方法であって、ＰｏＣセッションの確立の際に、セッション開始要請ＰｏＣクライアントが上記ＰｏＣセッションで使用しようとする発言権管理規則を含むセッション参加要請メッセージを送信するステップと、ＰｏＣサーバが上記セッション参加要請メッセージを受信すると、上記参加要請メッセージに含まれた上記発言権管理規則を上記ＰｏＣセッションに適用し、該当発言権管理規則を含む上記セッション参加要請メッセージを受信側ＰｏＣクライアントに伝達するステップと、上記受信側ＰｏＣクライアントが上記ＰｏＣサーバからセッション参加要請メッセージを受信すると、上記セッション参加要請メッセージに含まれた発言権管理規則に対して受諾するか否かを判断し、上記発言権管理規則の受諾又は拒絶に従う応答メッセージを上記ＰｏＣサーバに伝送するステップと、を含むことを特徴とする。
【００１９】
また、本発明は、ＰｏＣ(ＰＴＴ ｏｖｅｒ Ｃｅｌｌｕｌａｒ)セッションにおける発言権管理規則の伝達と適用のための方法であって、ＰｏＣセッションの確立の際に、セッション開始要請ＰｏＣ端末が上記ＰｏＣセッションで使用しようとする発言権管理規則に対応して事前設定された発言権管理規則ＩＤを確認し、上記確認された発言権管理規則ＩＤを含むセッション参加要請メッセージを送信するステップと、ＰｏＣサーバが上記セッション参加要請メッセージを受信すると、上記参加要請メッセージに含まれた上記発言権管理規則ＩＤに対応する発言権管理規則を確認して上記確立しようとするＰｏＣセッションに適用し、該当発言権管理規則を含む上記セッション参加要請メッセージを受信側ＰｏＣクライアントに伝達するステップと、上記受信側ＰｏＣクライアントが上記ＰｏＣサーバからセッション参加要請メッセージを受信すると、上記セッション参加要請メッセージに含まれた発言権管理規則に対して受諾するか否かを判断して、上記発言権管理規則の受諾又は拒絶に従う応答メッセージを上記ＰｏＣサーバに伝送するステップと、を含むことを特徴とする。
【００２０】
さらに、本発明は、ＰｏＣ(ＰＴＴ ｏｖｅｒ Ｃｅｌｌｕｌａｒ)セッションにおける発言権管理規則の伝達と適用のための方法であって、ＰｏＣセッションの確立の際に、セッション開始要請ＰｏＣ端末機が上記ＰｏＣセッションで使用しようとする発言権管理規則に対して事前設定されたＩＤを確認し、上記確認された発言権管理規則ＩＤを含むセッション参加要請メッセージを送信するステップと、ＰｏＣサーバが上記セッション参加要請メッセージを受信すると、上記参加要請メッセージに含まれた上記発言権管理規則ＩＤに対応する発言権管理規則を確認した後、上記発言権管理規則ＩＤと上記確認した発言権管理規則を格納し、上記確認した発言権管理規則を提案することを示すパラメータを挿入し、上記セッション参加要請メッセージを受信側ＰｏＣクライアントに伝達するステップと、上記受信側ＰｏＣクライアントが、上記ＰｏＣサーバからセッション参加要請メッセージを受信すると、上記セッション参加要請メッセージに含まれた発言権管理規則提案を受諾するか否かを判断して、上記発言権管理規則の受諾又は拒絶に従う応答メッセージを上記ＰｏＣサーバに伝送するステップと、を含むことを特徴とする。
【００２１】
また、本発明は、ＰｏＣ ＸＤＭＣとＰｏＣ ＸＤＭＳとの間に発言権管理規則リストを格納し、管理（例えば、新しい発言権管理規則の生成及びアップデート）する過程と、発言権管理規則と発言権管理規則ＩＤを対応させる過程とを含むことを特徴とする。
【００２２】
さらに、本発明は、セッション交渉の原理を用いた発言権管理規則の適用方案を提案し、この際、上述の構成に加えて、ＰｏＣセッションの確立の際に、伝達された発言権管理規則をＰｏＣサーバが格納し、良好な応答を受信すると、該当ＰｏＣセッションに適用させる過程を遂行することを特徴とする。
【００２３】
さらにまた、本発明は、マルチメディア環境下で、セッション参加ＰｏＣクライアントが複数の発言権管理規則をサポートするとき、アドホックグループセッションのようにセッションでサポートする発言権管理規則が指定されていない場合、発言権管理規則交渉を介してＰｏＣセッション開始者が所望する発言権管理規則の伝達及び適用を可能とする方案を提案する。また、事前指定グループのようにグループ情報により発言権管理規則が決定された場合、これを提案するための方案を提案することを特徴とする。
【発明の効果】
【００２４】
本発明は、ＯＭＡ ＰｏＣ(ＰＴＴ ｏｖｅｒ Ｃｅｌｌｕｌａｒ)マルチメディア通話サービスを遂行するＰｏＣクライアントがＰｏＣマルチメディアセッションを確立するとき、該当ＰｏＣセッションで使用しようとする発言権管理規則と共にセッション参加要請メッセージを伝達することによって、セッション確立と同時に該当セッションに適用させる発言権管理規則を交渉することができる。したがって、セッションを確立するＰｏＣクライアントが使用しようとする発言権管理規則を該当セッションに適用させることができ、上記発言権管理規則をサポートしないＰｏＣクライアントはセッションに参加しないことが可能である。また、ＰｏＣ ＸＤＭＣとＰｏＣ ＸＤＭＳが連動して発言権管理規則リストを常時管理することができる利点がある。
【図面の簡単な説明】
【００２５】
【図１】従来のＰｏＣサービスシステムの構成を示す図である。
【図２】従来のＰｏＣサーバの機能を示す図である。
【図３】ＰｏＣサーバのＣＦ部及びＰＦ部を含むグループセッションの構成を示す図である。
【図４】本発明の実施形態によるＰｏＣ端末機がセッションを確立する際に、発言権管理規則の交渉が含まれたセッション接続を遂行するためのＰｏＣ端末機とＰｏＣサーバとの間の信号の流れを示す図である。
【図５】本発明の実施形態による発言権管理規則を格納し管理するためのＰｏＣ ＸＤＭＣとＸＤＭＳサーバとの間の信号の流れを示す図である。
【図６】本発明の実施形態による発言権管理規則をＳＩＰシグナリングを用いて伝達するためのＩＮＶＩＴＥメッセージの具体的なフォーマットを示す図である。
【図７】本発明の他の実施形態によるセッション交渉手続きに従って発言権管理規則を適用するための信号の流れを示す図である。
【発明を実施するための形態】
【００２６】
以下、本発明の好適な一実施形態を、添付図面を参照しつつ詳細に説明する。下記の説明において、本発明は、プッシュツートーク（Push to Talk：以下、“ＰＴＴ”と称する。）システム、特に、セルラー移動通信網を介してＰＴＴサービスを提供するプッシュツートークオーバーセルラー（PTT Over Cellular：以下、“ＰｏＣ”と称する。）システムに適用される場合を例に挙げて説明する。一般的に、ＰｏＣシステムは、グループ通話に関するセッション参加情報を伝達するために、セッション開始プロトコル（Session Initiation Protocol：以下、“ＳＩＰ”と称する。）及びＳＩＰ拡張プロトコルを使用し、グループ情報を取得するために、拡張可能なマークアップ言語（eXtensible Markup Language：ＸＭＬ）設定アクセスプロトコル（XML Configuration Access Protocol：以下、“ＸＣＡＰ”と称する。）を使用する。本発明の下記の実施形態は、上述したプロトコルにより実現することができ、本発明の基本的な構成は、ＰｏＣ Ｒｅｌ．１システムに基づいている。
【００２７】
まず、以下に、本発明が適用される一般的なＰｏＣシステムについて説明する。
【００２８】
図１は、従来のＰｏＣサービスシステム及び関連ネットワークの構成を示す図である。ＰｏＣシステムは、ＰｏＣ ＵＥ１００と、ＸＭＬ文書管理サーバ（XML Document Management Server：ＸＤＭＳ）１３０及び１４０と、ＰｏＣサーバ１５０とを含む。また、ＰｏＣシステムは、アグリゲーションプロキシサーバ１６０をさらに含んでもよい。上述した構成要素は、アクセスネットワーク１１０と、ＳＩＰ／インターネットプロトコル（Internet Protocol：ＩＰ）コアネットワーク１２０又は遠隔ＰｏＣネットワーク１７０とを介して相互に接続される。
【００２９】
ＰｏＣ ＵＥ１００は、ＰｏＣクライアント１０２とＸＤＭクライアント１０４とを含む。
【００３０】
ＰｏＣ ＵＥ１００に含まれているサービス要請者を示すＰｏＣクライアント１０２は、ＰｏＣ ＵＥ１００に滞在し、ＰｏＣサービスをＰｏＣ ＵＥ１００を介してＰｏＣサービス加入者に提供するためのネットワーク接続を遂行する。ＰｏＣサービス加入者は、ＰｏＣクライアントが内蔵されているＰｏＣ ＵＥを介してＰｏＣサービスの提供を受けることができる。下記の説明において、“ＰｏＣクライアント”という用語は、ＰｏＣクライアントが内蔵されているＵＥ及びＰｏＣサービス加入者を総称する。また、ＰｏＣクライアントの参照符号は、特に区別する必要のない限り省略する。
【００３１】
ＰｏＣクライアントは、ＰｏＣサービス加入者（すなわち、ＰｏＣユーザ）がＰｏＣセッションの確立、すでに確立されているセッションの参加、又は確立されているセッションの終了を可能にするために主に使用される。また、ＰｏＣクライアントは、トークバーストを生成し送信する機能、インスタントパーソナルアラート（Instant Personal alert）をサポートする機能、及びＰｏＣサービスへのアクセスを認証する機能を有する。ＰｏＣクライアントは、アクセスネットワーク１１０を介してＳＩＰ／ＩＰマルチメディアをサポートするＳＩＰ／ＩＰコアネットワーク１２０に接続されることもある。
【００３２】
ＳＩＰ／ＩＰコアネットワーク１２０は、ＰｏＣサーバ１５０とＸＤＭＳ１３０及び１４０とに接続されることにより、ＰｏＣサービスをサポートする。この際、ＰｏＣサーバ１５０は、ＰｏＣセッションの維持及び管理を行うための制御ＰｏＣ機能（Controlling PoC Function）を行うことができ、１対１通話や多者間通話のために確立されるＰｏＣセッションに参加するための参加ＰｏＣ機能（Participating PoC Function）を行うことができる。
【００３３】
一方、ＰｏＣサービスは、コンファレンス通話のようなグループセッションを確立するサービスを伴うことができる。そのため、ＯＭＡ標準は、グループリストサービスのためのＸＤＭクライアント１０４とＸＤＭＳ１３０及び１４０とを定義する。図１は、ＰｏＣサービスのために使用されるＰｏＣ ＸＤＭＳ１４０及び他のサービスイネーブラ（service enabler）にも共通的に使用されることができる共用ＸＤＭＳ（Shared ＸＤＭS）１３０を示す。グループ及びグループメンバーに関する情報は、ＰｏＣクライアントを介してＸＤＭＳ１３０及び１４０に格納することができる。ＰｏＣクライアント１０２は、ＸＤＭＳ１３０及び１４０から受信された個人又はグループのリストから、自身が呼び出すことができる他のＰｏＣクライアントに関する情報を取得する。一方、ＸＤＭＳ１３０及び１４０に格納されているグループ及びグループメンバー情報の生成、修正、及び管理は、インターネット又はイントラネットのようなＰｏＣサービスプロバイダーが信頼できる通信網を介してなされることも可能である。ＸＭＬ文書を管理するためのプロトコル（例えば、グループリストの生成、修正、及び削除）は、本発明とは直接関連しないため、明瞭性のために省略する。
【００３４】
グループサービスのために、ＸＤＭクライアント１０４からグループリストに関連した要請を受信すると、アグリゲーションプロキシサーバ１６０は、適切な規則に従って、上記要請を各ＸＤＭＳ１３０及び１４０にルーティングする。
【００３５】
次いで、ＰｏＣサーバ１５０について説明する。
【００３６】
図２は、従来のＰｏＣサーバの構成を示す図である。ＰｏＣサーバの機能は、ＰｏＣセッションの全般的な維持及び管理を担当する制御ＰｏＣ機能（Controlling PoC Function：以下、“ＣＦ”と称する。）と各ＰｏＣセッションのための維持及び管理を担当する参加ＰｏＣ機能（Participating PoC Function：以下、“ＰＦ”と称する。）とに区分されることができる。下記の＜表１＞及び＜表２＞を参照して、ＰｏＣサーバの各機能に従う特性について説明する。
【００３７】
【表１】
0005522855.tif 000002
【００３８】
上述した＜表１＞に示すように、ＣＦは、ＰｏＣサーバの機能の中で、ＰｏＣセッションの総体的な管理を意味する。特に、ＣＦは、ＰｏＣクライアントの発言権（floor）要請を受け入れ、その順序を定めて発言権をこのクライアントに付与する。また、ＣＦは、特定のＰｏＣクライアントからのトークバースト（talk burst）をグループＰｏＣ呼出しに参加した他のＰｏＣクライアントに分配し、グループＰｏＣ呼出しに参加したＰｏＣクライアントに関する情報を提供する。
【００３９】
下記の＜表２＞に示すように、ＰＦは、ＰｏＣセッションの間に、ＣＦと各ＰｏＣクライアントとの間に接続されたセッションを管理する。特に、ＰＦは、ＣＦでＰｏＣクライアントへの発言権の付与だけではなく、ＰｏＣクライアントの発言権の要請を中継する。また、ＰＦは、ＣＦとＰｏＣクライアントとの間のメディア中継機能、及び両者が異なるコーデック（codecs）を使用する場合にこれらをトランスコーディングする機能を担当する。さらに、他のトークバーストが同時多重セッションで発生している間に、トークバーストが１つのセッションで発生される場合には、ＰＦは、ユーザの選択に従ってこれらの中の１つをフィルタリングするフィルタリング機能を担当する。
【００４０】
【表２】
0005522855.tif 000003
【００４１】
図３は、グループセッションでＰｏＣ ＵＥとＰｏＣサーバとの接続を示し、特に、ＰｏＣサーバの機能に従ってＣＦ部とＰＦ部とを区分して説明する。
【００４２】
図３を参照すると、各ＰｏＣクライアント１００−Ａ乃至１００−Ｄは、ＰＦ３１０−Ａ乃至３１０−Ｄを介してＣＦ３００に接続される。この後、ＣＦ３００から発言権を与えられたＰｏＣクライアントの対応するトークバーストに対応するメディアが他のＰｏＣクライアントに送信される。この際、この発言権を有するＰｏＣクライアントは、グループセッションに参加しているＰｏＣクライアントに関する情報を確認するまで、適切なトークバーストをすることができない。
【００４３】
一方、ＰｏＣシステムにおいて、通話接続のための呼処理技術は、送信側及び受信側の要請及び状況に基づいて様々な手続きが可能である。ＯＭＡに基づいて、このような送信側及び受信側の設定に従って必要とされるＰｏＣシステムの特徴は、次の通りである。
【００４４】
第１に、受信側は、ＰｏＣクライアントの要請に応じて、自身の応答モードを設定することができ、自動応答モード及び手動応答モードに分類することができる。自動応答モードとは、送信側が受信側で予め定めたＰｏＣクライアントリストに含まれている場合には、受信側の手動応答の代わりに、対応するネットワークから送信側に応答を即座に送ることを意味する。ＵＥを動作させず、ネットワークにより送られるこのような自動応答は、ＰｏＣサーバが、ＵＥの応答モード設定要請に従って、応答モード及び対応するユーザリストに関する情報を格納することができるという事実に基づいている。一方、手動応答モードとは、送信側が自動応答ユーザリストに含まれていない場合、または送信側が自動応答ユーザリストに含まれているか否かが不明確な場合、又は受信側が全てのユーザに手動応答モードを設定する場合に対応する。手動応答モードにおいて、ＰｏＣ通話要請は、受信ネットワークを介してＵＥに送信され、呼は、ＰｏＣクライアントの許可の後に接続される。
【００４５】
第２に、ＰｏＣシステムは、ＰｏＣユーザのホームネットワーク内のＰｏＣサーバとの接続設定に基づいて、オンデマンド（on-demand）セッションモードと事前設定（pre-established）セッションモードとを有することができる。事前設定セッションモードにおいては、ＰｏＣクライアントが、自身の要請に応じて、ＰｏＣクライアントとユーザのホームネットワークに属しているＰｏＣサーバとの間で事前にセッションを設定しておく。このような事前設定セッションは、将来使われるＰｏＣサーバとクライアントとの間のメディアパラメータを反復して交渉する必要がなく、迅速なセッションの確立を行うことができるように、ＰｏＣクライアントが使用するメディアパラメータをＰｏＣサーバと事前に交渉する必要がある。
【００４６】
事前設定セッションを確立するために、ＰｏＣクライアントは、ＳＩＰ ＩＮＶＩＴＥ方法を使用することにより、セッション記述プロトコル多目的インターネットメール拡張（Session Description Protocol Multipurpose Internet Mail Extension：ＳＤＰ ＭＩＭＥ）のボディーを介してサーバが提供し、ＰｏＣクライアントがサポートしたメディアパラメータ、及びこのサーバが提供したメディアパラメータに対する応答を提供する。このサーバから応答メッセージを受信すると、この応答メッセージは、新たに事前設定されるセッションの識別情報、例えば、コンファレンス識別子（conference URI）とともにＰｏＣクライアントに返信される。
【００４７】
上述した事前設定セッションを使用する場合には、ＩＰアドレス、ポート番号、使用されるコーデック、メディアタイプ及びトークバースト制御プロトコルなどの事前交渉が可能である。オンデマンドセッションモードは、任意のＰｏＣクライアントが事前設定セッションを確立しない場合に対応する。したがって、ＰｏＣクライアントは、招待メッセージを他のＰｏＣクライアントから受信した後に、ＰｏＣ呼を接続するための手続きを実行する。
【００４８】
ＰｏＣシステムにおいて、通話要請に関する応答モードの設定は、ネットワーク上のエレメントであるＰｏＣサーバ及びＵＥであるＰｏＣクライアントですべて格納することができる。
【００４９】
ＰｏＣクライアントを管理するホームネットワークに応答モードを設定する場合には、ＰｏＣクライアントが属しているホームネットワーク内でＰＦを有するＰｏＣサーバで応答モードが実現される。
【００５０】
応答モードがネットワークに設定された場合には、ＰＦは、セッションプログレスメッセージを通話を要請したネットワークに送信することにより、ＰｏＣ通話のための他のＰｏＣサーバの要請に自動で応答する。したがって、自動応答モードが設定された場合には、セッション設定メッセージがＰｏＣクライアントに伝達された後に応答が送信される場合に比べて、呼要請手続きが簡素化され、これにより、発言権を付与するのに必要とされる初期時間を短縮させる。
【００５１】
しかし、ネットワークで自動応答を遂行する場合には、状況に応じて、ユーザの応答とは異なる結果をもたらすことがある。したがって、ＰｏＣクライアントにも応答モードが設定されることがある。この際、ＰｏＣクライアントの応答モードは、ネットワーク上に設定された応答モードよりも優先されるという特徴がある。これは、ＰｏＣクライアントが自身の応答モードを変更し、かつ応答モードを更新することをＰｏＣサーバに要請したのに関わらず、信号遅延又はネットワーク上のエラーにより実時間で応答モードが更新されない際に、発生するプライバシー問題を解決するためである。
【００５２】
要約すると、ＰｏＣサービスに対するユーザの応答モードは、ＰｏＣサーバ及びＰｏＣクライアントにすべて設定することができるが、応答モードは、ユーザの最も最近の意思を反映したＰｏＣクライアントにより決定され、このような決定に基づいて、実際のユーザの音声又は映像などのようなメディアのストリームが伝達される。
【００５３】
以下、上述したような特徴を有するＰｏＣシステムでのＰｏＣマルチメディアセッションを確立する手続きについて説明する。
【００５４】
送信側ＰｏＣクライアントは、ＳＩＰプロトコルを使用してマルチメディア招待メッセージを送信することにより、呼処理を要請する。この際、このマルチメディアは、メディアタイプの指定に従って、様々なフォーマットを有するオーディオ、ビデオ、及びテキストなどを含んでもよい。このような呼処理要請に応じて、受信側クライアントは、対応するＰｏＣサーバでの応答モードの設定及び事前設定セッションが確立されたか否かに基づいて、様々な応答手続きを実行する。ＰｏＣ通話のための呼処理手続きについては、送信側及び受信側の１つのネットワークを用いて説明する。
【００５５】
送信側ＰｏＣクライアントは、自身が通信を希望する受信側ＰｏＣクライアントのＳＩＰアドレス情報を含むＳＩＰ ＩＮＶＩＴＥ要請を対応するＳＩＰ／ＩＰコアネットワークに送信する。この際、ＳＩＰ ＩＮＶＩＴＥメッセージは、送信側ＰｏＣクライアントのＰｏＣアドレス情報、要求されるメディアパラメータ、及びＰｏＣサービスを識別する特性値情報などのようなエレメントをさらに含むことができる。ここで、“要求されるメディアパラメータ”は、要求されるセッションがマルチメディアセッションに関連する場合には、オーディオ及びビデオに関するエンコーディング方法、レート、及びペイロードタイプなどを示す複数の特性値を含むことができる。
【００５６】
ＳＩＰ ＩＮＶＩＴＥメッセージは、ダイナミックホストコンフィギュレーションプロトコル（Dynamic Host Configuration Protocol：ＤＨＣＰ）サーバ又はドメインネームサーバ（Domain Name Server：ＤＮＳ）における経路クエリー（query）に基づいて、インターネットプロトコルマルチメディアサブシステム（IP Multimedia Subsystem：ＩＭＳ）ネットワーク内の対応するＩＭＳサーバ、すなわち、プロキシ呼セッション制御機能（Proxy Call Session Control Function：Ｐ−ＣＳＣＦ）及びサービング呼サーバ制御機能（Serving-Call Server Control Function：Ｓ−ＣＳＣＦ）を介して参加ＰｏＣサーバに伝達される。一般的な通話が要請される際には、ＰｏＣクライアントが接続された参加ＰｏＣサーバは、確立されたセッションのトークバーストを管理する制御ＰｏＣサーバと個別に実現することができ、これにより、ＰＦサーバに送信されたＳＩＰ ＩＮＶＩＴＥ要請は、対応するネットワークのＳＩＰ／ＩＰコアネットワークを介してＣＦサーバに伝達される。
【００５７】
一方、ＣＦを含むＰｏＣセッション制御ネットワークは、ＳＩＰ ＩＮＶＩＴＥ要請メッセージを受信側ネットワークに伝達した後に、受信側ネットワークから応答メッセージを受信する。受信側ネットワークから応答するＳＩＰメッセージは、受信側ＰｏＣクライアント及びＰＦの設定に基づいて、１ｘｘの臨時応答メッセージ、２ｘｘの成功応答メッセージ、又は４ＸＸ〜６ＸＸのエラー応答メッセージの中の１つであり得る。自動応答モードの場合には、ＳＩＰ １８３“セッションプログレス”信号を応答メッセージとして受信することができ、このメッセージを介して通話要請者のＩＭＳネットワークでＰｏＣサーバとクライアントとの間の接続を行うことができる。受信側ＰｏＣクライアントの通話許可信号として、ＳＩＰ １８３セッションプログレス又はＳＩＰ ２００ ＯＫ応答は、ＣＦ及びＰＦのＰｏＣサーバを介してＰｏＣクライアントに送信される。受信側ＰｏＣサーバから１８３セッションプログレス信号又は２００ ＯＫ応答を受信すると、ＣＦは、ＰｏＣ呼が接続されたことを確認し、発言権許可信号（floor granted signal）を送信側ＰｏＣクライアントに送信することにより、トークバーストの発言権を付与する。上記応答、すなわち、ＳＩＰ ２００ ＯＫ又は１８３セッションプログレス信号に従ってトークバーストの発言権を付与することは、“ｃｏｎｆｉｒｍｅｄ”又は“ｕｎｃｏｎｆｉｒｍｅｄ”を使用して識別することができる。ＣＦが“ｕｎｃｏｎｆｉｒｍｅｄ”応答を受信する場合には、バッファリング機能を必要とする。
【００５８】
一方、ＳＩＰ ＩＮＶＩＴＥ要請信号に対する応答信号を受信した後に、送信側ＰｏＣクライアントは、トークバースト送信許可信号、例えば、リングバックトーンを伝達するための発言権許可信号をＲＴＣＰを介して受信する。発言権許可信号は、トークバースト仲裁権限を有するＣＦにより生成され、対応するＰｏＣクライアントを管理するＰＦを介してＰｏＣクライアントに送信される。この際、発言権許可信号は、ＳＩＰプロトコルを使用せず、ベアラー経路を使用するため、ＩＭＳのようなＳＩＰ／ＩＰコアネットワークを迂回して送信することができる。リングバックトーンを確認したＰｏＣクライアントは、メディア、例えば、音声のストリームをＲＴＰを用いて伝達する。
【００５９】
すると、上述のように構成されるＰｏＣシステムにおいて、ＯＭＡ ＰｏＣ(ＰＴＴ ｏｖｅｒ Ｃｅｌｌｕｌａｒ)マルチメディア通話サービスを遂行するＰｏＣクライアントがＰｏＣセッションを確立するとき、該当ＰｏＣセッションで使用しようとする発言権管理規則をＰｏＣサーバを介して受信側ＰｏＣクライアントに伝達し、ＰｏＣサーバが交渉された発言権管理規則を該当ＰｏＣセッションに適用する方法及びシステムについて説明する。
【００６０】
以下、本発明の実施形態によって、ＰｏＣシステムでＰｏＣクライアントがＰｏＣセッションを確立するとき、該当ＰｏＣセッションで使用しようとする発言権管理規則を伝達し、ＰｏＣサーバが交渉された発言権管理規則を該当ＰｏＣセッションに適用するための方法及びシステムについて詳細に説明する。
【００６１】
図４は、本発明の実施形態によってＰｏＣクライアントがＰｏＣセッションを確立するとき、発言権管理規則を含むセッション参加要請メッセージを用いてＰｏＣセッションを確立するためのＰｏＣクライアントとＰｏＣサーバとの間の信号の流れを示した図である。特に、図４の実施形態は、ＸＤＭＳとの連動方案を基準に示すが、発言権管理規則を直接伝送する方案の場合も、図面の一部手続きを除外することによって、説明することができるため、同じ図面を利用する。
【００６２】
まず、ステップ４００で、マルチメディアＰｏＣセッションを確立しようとするＰｏＣクライアントＡは、確立しようとするＰｏＣセッションで使用しようとする発言権管理規則をＰｏＣクライアントＡの内部インターフェースを利用してＸＤＭＣに質疑する。ステップ４０１で、ＸＤＭＣは該当発言権管理規則に対応する発言権管理規則ＩＤをＰｏＣクライアントＡに提供する。すると、ステップ４０１で、ＰｏＣクライアントＡは、ＸＤＭＣから該当発言権管理規則に対応する発言権管理規則ＩＤを受信する。この時、ＰｏＣクライアントＡは少なくとも一つ以上の発言権管理規則を事前設定し、それぞれの発言権管理規則に対応する発言権管理規則ＩＤを事前格納する。また、この格納された発言権管理規則とそれに対応する発言権管理規則ＩＤは、ＰｏＣ ＸＤＭＳと互いに共有される。このＸＤＭＣとＸＤＭＳとの間の発言権管理規則に対する情報を共有するためのＸＤＭ文書の作成及び管理技術に対しては下記の図５で説明する。
【００６３】
一方、ＸＤＭＣから使用しようとする発言権管理規則に対応する発言権管理規則ＩＤを受信したＰｏＣクライアントＡは、ステップ４０２で、発言権管理規則ＩＤをセッション参加要請メッセージに挿入してＰｏＣサーバに伝達する。
【００６４】
以後、ＰｏＣサーバＡは、ＰｏＣクライアントＡが発言権管理規則を要請することが許可されたかを確認した後、許可された場合、ステップ４０４で、発言権管理規則ＩＤに対応する発言権管理規則をＰｏＣ ＸＤＭＳに質疑する。すると、ステップ４０６で、ＰｏＣ ＸＤＭＳは該当ＩＤに対応して格納された発言権管理規則をＰｏＣサーバＡに提供する。すなわち、ステップ４０４〜４０６を介して、ＰｏＣサーバＡは発言権管理規則ＩＤに対応する具体的な発言権規則を獲得する。以後、ＰｏＣ ＸＤＭＳから発言権管理規則ＩＤに対応する発言権管理規則を含む応答を受信すると、ステップ４０８で、ＰｏＣサーバＡは該当発言権管理規則とＩＤをＰｏＣセッションに適用し、ステップ４１０で、これを受信側ＰｏＣクライアントＢに通知するために発言権管理規則を含むセッション参加要請メッセージを受信側ＰｏＣサーバＢに伝達する。すると、ステップ４１２で、受信側ＰｏＣサーバは、セッション参加要請メッセージを受信側ＰｏＣクライアントＢに伝達する。
【００６５】
以後、発言権管理規則を含むセッション参加要請メッセージを受信した受信側ＰｏＣクライアントＢは、ステップ４１４で、ＰｏＣユーザの決定に基づいてセッション参加要請メッセージに含まれた発言権管理規則を受諾するか否かを判断し、最終応答メッセージを受信側ＰｏＣサーバＢに送る。ステップ４１６及びステップ４１８で、２００ ＯＫ応答メッセージは、ＰｏＣクライアントＢが該当ＰｏＣセッションでＰｏＣクライアントＡが提供した発言権管理規則を適用したことを確認するメッセージと見なすことができる。
【００６６】
一方、ステップ４１６及びステップ４１８を介して応答メッセージを受信すると、ＰｏＣサーバＡは、ステップ４２０でＰｏＣセッションに適用される発言権管理規則を含む最終応答メッセージをＰｏＣクライアントＡに伝送することによって、マルチメディアＰｏＣセッションの確立を完了する。
【００６７】
ＰｏＣセッションの確立の完了後、ＰｏＣサーバは、ステップ４２２で、該当ＰｏＣセッションで交渉された発言権管理規則に従ってセッション開始者に発言権を付与することができ、または他の特定のユーザに発言権を付与することができ、これによって、該当ＰｏＣクライアントはＰｏＣセッション内にメディアを伝送することができる。ステップ４２４乃至ステップ４３０は、ＰｏＣサーバＡが発言権管理規則によってＰｏＣクライアントＡに発言権を付与し、これによってＰｏＣクライアントＡが該当ＰｏＣクライアントＢにメディアを伝送する過程を示す。
【００６８】
一方、本発明の他の実施形態によれば、上述した発言権管理規則を、ＸＤＭシステムとの連動なし受信側ＰｏＣクライアントに直接伝送することができる。このように、ＸＤＭシステムとの連動なし発言権管理規則を受信側ＰｏＣクライアントに直接伝送する場合には、図４のステップ４０２で発言権管理規則を含むセッション参加要請メッセージが伝送され、ＰｏＣサーバＡがセッション参加要請メッセージを受信した後にセッションに適用する。したがって、この時には、ステップ４００及びステップ４０１のように、ＰｏＣクライアントとＸＤＭＣとの間に発言権管理規則に対応するＩＤのための質疑及び応答ステップと、ステップ４０４及びステップ４０６のようにＰｏＣサーバとＰｏＣ ＸＤＭＳとの間の連動ステップが不要である。
【００６９】
すると、図５を参照してＸＤＭＳと連動してＰｏＣセッションに発言権管理規則を適用するための事前技術に対して説明する。
【００７０】
図５は、発言権管理規則を格納して管理するためのＰｏＣ ＸＤＭＣとＰｏＣ ＸＤＭＳ間の信号の流れを示す。ＰｏＣ ＸＤＭＣは、図１に示したように、ＰｏＣクライアントと共にＰｏＣ端末機内に存在する論理的な構成要素(logical entity)である。ＰｏＣ ＸＤＭＣは端末内部のインターフェースを介してＰｏＣクライアントと情報を送受信することができる。
【００７１】
図５に示したように、ＰｏＣユーザはＰｏＣ ＸＤＭＣの機能を活用して新しい発言権管理規則文書をＸＭＬ文書で作成することができる。この時、作成されたＸＭＬ文書は、アドホックグループあるいは一対一セッションなど臨時的なＰｏＣセッションに適用させる発言権管理規則等のリストと規則ＩＤ及び作成された文書が発言権管理規則であることを知らせるアプリケーションＩＤ(Ａpplication Unique ID)を含む。また、ステップ５００及びステップ５０２で、ＰｏＣ ＸＤＭＣはＨＴＴＰ ＰＵＴメッセージを用いて発言権管理規則等のリストと規則ＩＤ、アプリケーションＩＤを含むＸＭＬ文書をアグリゲーションプロキシサーバを介してＰｏＣ ＸＤＭＳに伝達する。ＸＭＬ文書を受信したＰｏＣ ＸＤＭＳは、受信した発言権管理規則文書を格納し、ステップ５０４及びステップ５０６を介して応答メッセージをＰｏＣ ＸＤＭＣに伝達する。
【００７２】
一方、ＰｏＣ ＸＤＭＳに格納された発言権管理規則文書は、以後、ユーザの要請によってＰｏＣ端末機で読み取られ、この時、アプリケーションＩＤに従って発言権管理規則及びＩＤを受信することができる。この発言権管理規則のためのＸＭＬ文書は、“condition”及び“action”で構成されるコモンポリシーフレームワーク（common policy framework）により作成され、本発明では具体的な文書の記述は省略する。ステップ５０８〜ステップ５１４は、ＸＤＭＳに格納されたＰｏｃセッション発言権管理規則を制御するためのＰｏｃ:ＸＤＭＣとＸＤＭＳとの間の信号の流れである。まず、ステップ５０８とステップ５１０を介して、ＰｏＣ ＸＤＭＣは、アプリケーションＩＤを含むＨＴＴＰ ＧＥＴメッセージをＸＤＭＳに伝達する。このメッセージを受信したＸＤＭＳは、ステップ５１２及びステップ５１４で、アプリケーションＩＤに対応する発言権管理規則及びＩＤを含む応答メッセージ（２００ ＯＫメッセージ）をＰｏＣ ＸＤＭＣに伝達する
【００７３】
図６は、図４で説明したセッション開始者が要請する特定の発言権管理規則を含むセッション参加要請メッセージの具体的な実施形態を示す。
【００７４】
図６を参照すると、ＩＮＶＩＴＥメッセージのボディー部は、アドホックグループセッションに含まれるＵＲＩリスト情報とメディアのパラメーターを示す“application/sdp”を含む。この時、発言権管理プロトコルを設定する“ＭＢＣＰ”応用メディアに対するフォーマットパラメーター部に“ｍｂｃｓ（Media Burst Control Scheme）”パラメーターに対するフィールド値を設定することによって、セッションを開始するＰｏＣクライアントがアドホックＰｏＣセッションに適用しようとする発言権管理規則をＰｏＣサーバに伝達することができる。例えば、図６ではメディアフォーマットパラメーター“ｍｂｃｓ”に“round-robin”値を設定することによって、順次的な回転方式（round robin scheme）の発言権管理をＰｏＣサーバに要請することを示している。一方、コンファレンス管理サーバは、上述したように、同一のメディアフォーマットパラメーターを利用して受信側ＰｏＣサーバとＰｏＣクライアントに発言権管理規則を伝達することができ、コンファレンス管理ＰｏＣサーバで決定された発言権管理規則は、セッション開始者に２００ ＯＫメッセージのような応答メッセージを介して伝達されることができる。
【００７５】
一方、図４でセッション参加要請メッセージが発言権管理規則ＩＤを含む場合は、図６で“ｍｂｃｓ”パラメーター値として先にＸＤＭＣから収集したＩＤ(ＰｏＣサービスで固有なタグ値)が伝送され、以後、コンファレンスサーバから実際ｍｂｃｓ値へ変換され、受信側ネットワークに伝送される。
【００７６】
一方、本発明の他の実施形態によれば、ＰｏＣセッション開始者が使用しようとする発言権管理規則は、セッション要請及び応答を含む交渉手続きを介して適用することができる。この時、ＰｏＣサーバで発言権管理規則を適用する時点は、ＰｏＣサーバが受信側ＰｏＣクライアントから発言権管理規則に対する良好な応答メッセージを受信した後に限定される。
【００７７】
次に、図７を参照してセッション要請及び応答を含む交渉手続きを介して発言権管理規則を適用する方法を説明する。
【００７８】
まず、ステップ７００、７０１、７０２、７０４、７０６は、図４のステップ４００、４０１、４０２、４０４、４０６と各々同じ動作を遂行する。以後、ステップ７０８で、ＰｏＣサーバＡは発言権管理規則またはそれに対応するＩＤを格納する。すなわち、図７では図５と比較してＳＤＰ応答パラメーターを利用してＰｏＣクライアントＡが要請した発言権管理規則をＰｏＣセッションに適用するか否かに対して決定するため、該当発言権管理規則を格納するステップ７０８が必要である。一方、該当セッションに対する発言権管理規則は、セッションの識別子であるコンファレンスＵＲＩと一対一にマッピングさせることによって、該当ＰｏＣセッションに対してのみ適用することができる。
【００７９】
以後、ステップ７１０で、ＰｏＣサーバＡは、発言権管理規則を提案していることを知らせるセッション参加要請メッセージを受信側ＰｏＣサーバＢに伝達する。すると、ステップ７１２で、受信側ＰｏＣサーバは、セッション参加要請メッセージを受信側ＰｏＣクライアントＢに伝達する。
【００８０】
次に、提案された発言権管理規則を含むセッション参加要請メッセージを受信した受信側ＰｏＣクライアントＢは、ステップ７１４で、上記セッション参加要請メッセージに含まれた発言権管理規則提案を受諾するか否かを判断し、ＰｏＣサーバＢに最終応答メッセージを送る。この時、ＩＮＶＩＴＥメッセージに含まれる発言権管理規則パラメーターは、例えば、図６の実施形態で“mbcs=round-robin”は一般的なＳＤＰ提案/応答(offer/answer)のモデルに従うため、受信側ＰｏＣクライアントＢが該当パラメーターを含まないＯＫ応答メッセージを伝送する場合、ＰｏＣサーバは、上記発言権管理規則が適用されていない一般的なＰｏＣセッションを確立する。また、受信側ＰｏＣクライアントＢが提案された発言権管理規則を受諾するために、発言権管理規則を含む２００ ＯＫメッセージを伝送する場合、ＰｏＣサーバＡは上記発言権管理規則が適用されているＰｏＣセッションを確立する。
【００８１】
以下、ステップ７１６及びステップ７１８で、受信側ＰｏＣクライアントＢが提案された発言権管理規則に対して受諾するか否かを知らせる応答メッセージ(２００ ＯＫ)をＰｏＣサーバＢを介してＰｏＣサーバＡに伝達すれば、ＰｏＣサーバＡは、ステップ７２０で交渉された発言権管理規則を適用する手続きを遂行する。すなわち、ＰｏＣサーバＡがＰｏＣクライアントＢから伝達される応答メッセージを確認し、もしＰｏＣクライアントＢから受信された応答メッセージが提案された発言権管理規則に対する受諾のメッセージであれば、該当発言権管理規則をＰｏＣセッションに適用する。しかし、もしＰｏＣクライアントＢから受信された応答メッセージが提案された発言権管理規則に対する拒絶のメッセージであれば、一般的に設定された発言権管理規則をＰｏＣセッションに適用する。また、ステップ７２２で、ＰｏＣサーバＡはＰｏＣセッションに適用される発言権管理規則を含む最終応答メッセージをＰｏＣクライアントＡに伝送することによって、マルチメディアＰｏＣセッションの確立手続きを完了する。
【００８２】
ＰｏＣセッションの確立が完了した後、ステップ７２４乃至ステップ７３２で、ＰｏＣサーバＡは、発言権管理規則に基づいてＰｏＣクライアントＡに発言権を付与し、これによってＰｏＣクライアントＡは該当ＰｏＣクライアントＢにメディアを伝送することができる。
【００８３】
図７のようなセッションの確立手続きは、基本発言権管理規則のみをサポートするＰｏＣクライアントに対するセッションの確立や、一対一ＰｏＣセッションの確立時により適している。
【００８４】
以上、本発明を具体的な実施形態を参照して詳細に説明してきたが、本発明の範囲及び趣旨を逸脱することなく様々な変形が可能であるということは、当業者には明らかであり、本発明の範囲は、上述の実施形態に限定されるべきではなく、特許請求の範囲の記載及びこれと均等なものの範囲内で定められるべきである。
【符号の説明】
【００８５】
４００  使用しようとする発言権管理規則に対応するＩＤを質疑するステップ
４０１  該当発言権管理規則に対応するＩＤを提供するステップ
４０２  発言権管理規則ＩＤをセッション参加要請メッセージに挿入してＰｏＣサーバに伝達するステップ
４０４  発言権管理規則ＩＤに対応する発言権管理規則をＰｏＣ ＸＤＭＳに質疑するステップ
４０６  該当ＩＤに対応して格納された発言権管理規則をＰｏＣサーバＡに提供するステップ
４０８  該当発言権管理規則とＩＤＰｏＣセッションに適用するステップ
４１０  発言権管理規則を含むセッション参加要請メッセージを受信側ＰｏＣサーバＢに伝達するステップ
４１２  セッション参加要請メッセージを受信側ＰｏＣクライアントＢに伝達するステップ
４１４  ＩＮＶＩＴＥメッセージに含まれた発言権管理規則を受諾するか否かを判断するステップ
４１６、４１８  応答メッセージを受信するステップ
４２０  ＰｏＣセッションに適用される発言権管理規則を含む最終応答メッセージをＰｏＣクライアントＡに伝送するステップ
４２２  交渉された発言権管理規則に従ってセッション開始者に発言権を付与するステップ
４２４  発言権管理規則によってＰｏＣクライアントＡに発言権を付与するステップ
【図１】
0005522855.tif 000004
【図２】
0005522855.tif 000005
【図３】
0005522855.tif 000006
【図４】
0005522855.tif 000007
【図５】
0005522855.tif 000008
【図６】
0005522855.tif 000009
【図７】
0005522855.tif 000010